(57)【要約】      （修正有）【課題】複数の仕切りと収納箱本体を一体に折り畳み自在にできるようにしつつ、使用時において、仕切りと収納箱本体の姿勢の安定を図るようにした折り畳み自在な収納箱を提供する。【解決手段】収納箱本体１０と、物品用支持部材１１と、物品用支持部材１１の上方端にその上方端が揃えられるとともに、上部寄りの糊代部が該物品用支持部材１１の両支持板４の上部の外側に固着される一対の硬質材製の盲動抑制板１４とが備えられ、収納箱本体１０と物品用支持部材１１のそれぞれの四隅の折り目が互いに平行状態になるように、物品用支持部材１１が収納箱本体１０に内装され、物品用支持部材１１の上方の第１物品支持部１２ｃは収納箱本体１０の天井片１８の内側に固着されるとともに、下方の第２物品支持部１２ｄ側は収納箱本体１０の底片２０に対して自由状態に設けられるようにした。【選択図】図６
0003154316.tif 000002
【実用新案登録請求の範囲】
【請求項１】
両側に一対の側片１６、上部に天井片１８、下部に底片２０、背面に該側片１６と背面側の折り目１３ａを介して折り畳み自在に連設されるとともに係止具１５ａを備えた背面片２２及び正面に該側片１６と正面側の折り目１３ｂを介して折り畳み自在に連設されるとともに係止具１５ｂを備えた扉２４を備え、該天井片１８の両側端及び一対の該側片１６の上端との間、及び該底片２０の両側端及び一対の該側片１６の下端との間に折り目１３ｃがそれぞれ備えられた断面方形状の折り畳み自在な収納箱本体１０と、
両側の鉛直部１２ａと、該鉛直部１２ａに対して直角方向に設けられた上方の第１物品支持部１２ｃと、下方の第２物品支持部１２ｄとを備え、四隅に折り目１９がそれぞれ形成された断面方形状の折り畳み自在な硬質材製の仕切り１２の複数個以上が上下方向に沿って積層されるとともに、該複数個以上の仕切り１２の両側の鉛直部１２ａの外側に鉛直部１２ａと平行に支持板４をそれぞれ備えた物品用支持部材１１と、
該物品用支持部材１１の上方端にその上方端が揃えられるとともに、上部寄りの糊代部Ｐが該物品用支持部材１１の両支持板４の上部の外側に固着される一対の硬質材製の盲動抑制板１４とが備えられ、
該収納箱本体１０と該物品用支持部材１１のそれぞれの四隅の折り目１３ｃ、１９が互いに平行状態になるように、該物品用支持部材１１が該収納箱本体１０に内装され、
該物品用支持部材１１の上方の第１物品支持部１２ｃは該収納箱本体１０の天井片１８の内側に固着されるとともに、下方の第２物品支持部１２ｄ側は該収納箱本体１０の底片２０に対して自由状態に設けられることを特徴とする折り畳み自在な収納箱。
【請求項２】
該物品用支持部材１１と該一対の該盲動抑制板１４のそれぞれの高さＨ１が該収納箱本体１０の天井片１８の内側から底片２０の内側に至る高さＨ２に等しく、該物品用支持部材１１と該一対の該盲動抑制板１４のそれぞれの奥行きＤ１が該収納箱本体１０の背面片２２の内側から扉２４の内側に至る幅Ｄ２に等しく、
該収納箱本体１０の幅Ｗ１は該物品用支持部材１１の幅Ｗ２に該盲動抑制板１４の厚みの２倍の幅を加算した幅に等しく設けられたことを特徴とする請求項１に記載の折り畳み自在な収納箱。
【請求項３】
該収納箱本体１０の材質がプラスチック製段ボールであることを特徴とする請求項１又は請求項２に記載の折り畳み自在な収納箱。
【請求項４】
該物品用支持部材１１の材質が厚紙であることを特徴とする請求項１から請求項３の何れかに記載の折り畳み自在な収納箱
【請求項５】
該上部の物品支持部１２ｃと下部の物品支持部１２ｄのそれぞれの外側に厚紙製の補強板２３が接着されてなることを特徴とする請求項１から請求項４の何れかに記載の折り畳み自在な収納箱。
【請求項６】
該支持板４の材質がクラフト紙であることを特徴とする請求項１から請求項５の何れかに記載の折り畳み自在な収納箱。
【請求項７】
該背面片２２および扉２４がそれぞれ観音開きに開閉可能であることを特徴とする請求項１から請求項６の何れかに記載の折り畳み自在な収納箱。
【請求項８】
該物品用支持部材１１の上部の物品支持部１２ｃが該収納箱本体１０の天井片１８の内側に係止具１５ｃにより着脱自在に設けられてなるものであることを特徴とする請求項１から請求項７の何れかに記載の折り畳み自在な収納箱。
【考案の詳細な説明】
【技術分野】
【０００１】
この考案は、折り畳み自在な複数の仕切りを備えた折り畳み自在な収納箱に関する。
とりわけ、仕切りが水平方向に配置され、その水平部上に荷物が載置される形態を備えた折り畳み自在な収納箱に関する。さらに、いえば、仕切りと収納箱本体の姿勢の安定を図ることができ、かつ、両者を一体に折り畳み自在な収納箱に関する。
【背景技術】
【０００２】
この種の収納箱として特開平７−３００１２８号公報（特許文献１）記載の発明が知られている。この発明は、植木鉢に収納された植木苗などの物品の運搬に供される折り畳み可能な包装用箱に関するもので、折り畳み可能な段ボール板紙による包装用箱本体と箱内に装着される折り畳み可能な多数枚の中仕切りからなる。包装用箱本体は方形であって、蓋板と底板がそれぞれ二つ折りにできるように２枚からなり、四隅にそれぞれ折り目が形成されたいわゆる「Ａ−１形」と称されているものである。
【０００３】
一方、中仕切りは、使用状態において、水平な棚部の両側に倒立断面三角形の物品規制部が形成されてなるもので、多数枚の中仕切りが箱本体の内側において底板側から蓋板側にかけて取り付けられている。そしてまた、多数枚の各中仕切りは、両側の物品規制部の水平部を蓋側に向けるとともに、棚部の両側を下方に位置する中仕切りの物品規制部の水平部にそれぞれ載置するようにして取り付けられている（特許文献１：図１を参照）。そして、隣接する植木鉢間の間隙を無くすようにして多数個の植木鉢を物品規制部間に配置するとともに、両端に位置する植木鉢の外側面を物品規制部の傾斜面により固定・保持するように設けられている（特許文献１：図１０を参照）。
【０００４】
さらに、この種の別の包装用箱として、この考案者の考案に係る実公平６−２７５４１号公報に記載の考案が知られている（特許文献２：図２を参照）。この考案は、折り畳み自在な複数の仕切りが折り畳み自在な包装箱本体内に内装され、仕切りが箱本体と一体にワンアクションにより折り畳み自在に設けられてなるものであり、仕切りは底板に対して垂直方向に立設され、仕切りにより形成される升目内に被包装物を垂直方向に収納するようにしたものである。
（特許文献２：図２を参照）。
【先行技術文献】
【特許文献】
【０００５】
【特許文献１】特開平７−３００１２８号公報（図１、図１０）
【特許文献２】実公平６−２７５４１号公報（図２）
【考案の概要】
【考案が解決しようとする課題】
【０００６】
上記の特許文献１記載の従来技術においては、包装用箱本体と箱内に装着される中仕切りの二部材は、それぞれ部材毎に折り畳み自在ではあるものの、包装用箱本体と中仕切りがいわゆるワンアクションで同時に折り畳むことのできる構成の形態のものではなく、互いに独立した状態によってのみ折り畳むことのできるものである。よって、折り畳み作業を部材毎にせざるを得ないため、折り畳み作業の煩雑性が生じていた。また、多数枚の中仕切りは、箱内において、上下方向に単に積層されてなるに止まっているため、運搬時における植木鉢の荷重により中仕切りが盲動し、植木鉢が中仕切りの棚部上で偏ってしまうなど収納物の運搬時に包装用箱が安定しないなどのおそれが生じていた。
【０００７】
上記の特許文献２記載の従来技術においては、仕切りが箱本体と一体にワンアクションにより折り畳むことができるように、折り畳み自在な多数数の仕切りが折り畳み自在な包装箱本体内に内装されている。したがって、理論的には、包装箱本体を９０度転回させることにより、仕切りが箱の底板に対して垂直に立設された折り畳み自在な仕切りも９０度転回でき、よって、垂直状態の仕切りを水平な姿勢に変化できるから、水平状態の仕切り内に被包装物を収納できそうに考えられる。
【０００８】
しかし、この種の包装箱の使用方法は、仕切りが専ら底板に対して鉛直方向に向けられたまま使用されるものであり、水平方向に向けられた仕切り上に収納物が載置されて使用されることまでは予定されていない。したがって、前記したように、特許文献２記載の従来技術は、垂直方向に形成される升目内に専ら被包装物が収納され、その荷重は箱本体の底板により支えられる構造のものであり、仕切りや仕切りの両側に設けられた基紙（図６、図７を参照）の耐荷重性についてとくに配慮の必要性がないので当業界で普通に採用されてクラフト紙が選択されている。仮にこの包装箱を９０度転回させて使用に供しても、仕切りを９０度転回することによって形成される水平部上に収納物を載置すれば、収納物の荷重に耐えられないおそれがあって、破損するおそれがあり、仕切りが湾曲し、さらに仕切りが湾曲して収納物が偏ることにより、包装箱全体が倒れてしまうおそれがあった。
【０００９】
すなわち、前記したように、仕切りの水平方向の姿勢の安定を保持させて仕切り上に収納物を載置させることは予定されていないから、その姿勢の安定を図ることなどに関して一切配慮されていない。
【００１０】
この考案が解決しようとする目的は、上記の課題に鑑み、複数の仕切りと収納箱本体を一体に折り畳み自在にできるようにしつつ、使用時において、仕切りと収納箱本体の姿勢の安定を図るようにした折り畳み自在な収納箱を提供することにある。
【課題を解決するための手段】
【００１１】
本考案の課題を解決するための第１の手段は、
両側に一対の側片１６、上部に天井片１８、下部に底片２０、背面に該側片１６と背面側の折り目１３ａを介して折り畳み自在に連設されるとともに係止具１５ａを備えた背面片２２及び正面に該側片１６と正面側の折り目１３ｂを介して折り畳み自在に連設されるとともに係止具１５ｂを備えた扉２４を備え、該天井片１８の両側端及び一対の該側片１６の上端との間、及び該底片２０の両側端及び一対の該側片１６の下端との間に折り目１３ｃがそれぞれ備えられた断面方形状の折り畳み自在な収納箱本体１０と、
両側の鉛直部１２ａと、該鉛直部１２ａに対して直角方向に設けられた上方の第１物品支持部１２ｃと、下方の第２物品支持部１２ｄとを備え、四隅に折り目１９がそれぞれ形成された断面方形状の折り畳み自在な硬質材製の仕切り１２の複数個以上が上下方向に沿って積層されるとともに、該複数個以上の仕切り１２の両側の鉛直部１２ａの外側に鉛直部１２ａと平行に支持板４をそれぞれ備えた物品用支持部材１１と、
該物品用支持部材１１の上方端にその上方端が揃えられるとともに、上部寄りの糊代部Ｐが該物品用支持部材１１の両支持板４の上部の外側に固着される一対の硬質材製の盲動抑制板１４とが備えられ、
該収納箱本体１０と該物品用支持部材１１のそれぞれの四隅の折り目１３ｃ、１９が互いに平行状態になるように、該物品用支持部材１１が該収納箱本体１０に内装され、
該物品用支持部材１１の上方の第１物品支持部１２ｃは該収納箱本体１０の天井片１８の内側に固着されるとともに、下方の第２物品支持部１２ｄ側は該収納箱本体１０の底片２０に対して自由状態に設けられることを特徴とする折り畳み自在な収納箱である。
【００１２】
本考案において「硬質材」とは、収納箱として使用するに備えて、湾曲したり、変形しなく、収納物の荷重に耐えられる強度を有するものを意味し、例えば、硬質プラスチック製シート、厚紙、強化段ボール、合紙段ボールなどが挙げられる。
【００１３】
本考案の課題を解決するための第２の手段は、第１の課題解決手段において、
該物品用支持部材１１と該一対の該盲動抑制板１４のそれぞれの高さＨ１が該収納箱本体１０の天井片１８の内側から底片２０の内側に至る高さＨ２に等しく、該物品用支持部材１１と該一対の該盲動抑制板１４のそれぞれの奥行きＤ１が該収納箱本体１０の背面片２２の内側から扉２４の内側に至る幅Ｄ２に等しく、
該収納箱本体１０の幅Ｗ１は該物品用支持部材１１の幅Ｗ２に該盲動抑制板１４の厚みの２倍の幅を加算した幅に等しく設けられたことを特徴とする折り畳み自在な収納箱である。
【００１４】
本考案の課題を解決するための第３の手段は、第１又は第２の課題解決手段において、
該収納箱本体１０の材質がプラスチック製段ボールであることを特徴とする折り畳み自在な収納箱である。
【００１５】
本考案の課題を解決するための第４の手段は、第１から第３のいずれかの課題解決手段において、
該物品用支持部材１１の材質が厚紙であることを特徴とする折り畳み自在な収納箱である。
【００１６】
本考案の課題を解決するための第５の手段は、第１から第４のいずれかの課題解決手段において、
該上部の物品支持部１２ｃと下部の物品支持部１２ｄのそれぞれの外側に厚紙製の補強板２３が接着されてなることを特徴とする折り畳み自在な収納箱である。
【００１７】
本考案の課題を解決するための第６の手段は、第１から第５のいずれかの課題解決手段において、
該支持板４の材質がクラフト紙であることを特徴とする折り畳み自在な収納箱である。
【００１８】
本考案の課題を解決するための第７の手段は、第１から第６のいずれかの課題解決手段において、
該背面片２２および扉２４がそれぞれ観音開きに開閉可能であることを特徴とする折り畳み自在な収納箱である。
【００１９】
本考案の課題を解決するための第８の手段は、第１から第７のいずれかの課題解決手段において、
該物品用支持部材１１の上部の物品支持部１２ｃが該収納箱本体１０の天井片１８の内側に係止具１５ｃにより着脱自在に設けられてなるものであることを特徴とする折り畳み自在な収納箱である。
【考案の効果】
【００２０】
本考案の課題を解決する第１の手段は、上記の構成であるから、以下の作用効果を奏する。折り畳まれた収納箱を使用に備えて組み立てる際に（図７を参照）、この折り畳み自在な収納箱本体１０内には、一対の盲動抑制板１４を固定した折り畳み自在な物品用支持部材１１が内装されているが、物品用支持部材１１の上方のみが本体１０の天井片１８に固定され、その下方は底板２０に対して自由状態であるから、背面片２２又は扉２４を摘んで収納箱本体１０を伸張させることにより、折り畳まれていた物品用支持部材１１は盲動抑制板１４とともに、収納箱本体１０の伸張に追従してワンアクションで伸長させることができる（図３を参照）。
【００２１】
また、物品用支持部材１１の両側は、硬質材製の盲動抑制板１４により制御されているから、盲動抑制板１４が湾曲することなく、倒伏し易い仕切り１２の姿勢を安定に保持できる。
【００２２】
また、物品用支持部材１１と盲動抑制板１４の底片２０側は自由状態に存在するから、伸張および圧縮の作業を障害や無理なく実施できる。一方では、盲動抑制板１４が箱本体内において、支持板４と側片１６の間に隙間のない状態で垂設されているので、盲動抑制板１４により正規の姿勢を保持し、よって、物品用支持部材１１と盲動抑制板１４の底片２０側は自由状態であるにもかかわらず物品用支持部材１１はその姿勢を安定した状態に保持できる。特に妄動抑制板１４が硬質材であることにより、物品用支持部材１１をより一層安定した状態に保持できる。
【００２３】
また、箱本体１０の側片１６を内側へ向けて押圧することにより、物品用支持部材１１は、箱本体１０の折り畳みに追従し、ワンアクションにより箱本体１０とともに嵩張ないようして、折り畳むことができる。
【００２４】
本考案の課題を解決する第２の手段は、上記の構成であるから、第１の手段が奏する上記の作用効果のほか以下の作用効果を奏する。一対の側片１６、天井片１８、底片２０、背面片２２および扉２４を有する収納箱本体１０内に間隙のない状態に規制させて内装できるので、物品用支持部材１１を上下方向、幅方向および奥行き方向の何れの方向にも盲動することなく、その姿勢を安定して保持できる。
【００２５】
本考案の課題を解決する第３の手段は、上記の構成であるから、第１又は第２の手段が奏する上記の作用効果のほか以下の作用効果を奏する。プラスチック製段ボールは市販品を利用できるから、手軽に収納箱本体１０を生産でき、その生産コストを廉価に期待できる。
【００２６】
本考案の課題を解決する第４の手段は、上記の構成であるから、第１から第３の手段が奏する上記の作用効果のほか以下の作用効果を奏する。厚紙は市販品を利用できるから、手軽に物品用支持部材１１を生産でき、その生産コストを廉価に期待できる。
【００２７】
本考案の課題を解決する第５の手段は、上記の構成であるから、第１から第４の手段が奏する上記の作用効果のほか以下の作用効果を奏する。上部の物品支持部１２ｃと下部の物品支持部１２ｄのそれぞれの外側に厚紙製の補強板２３が接着されてなるから、両物品支持部１２ｃ、１２ｄの強度の増加を手軽に図ることができる。
【００２８】
本考案の課題を解決する第６の手段は、上記の構成であるから、第１から第５の手段が奏する上記の作用効果のほか以下の作用効果を奏する。支持板４の材質がクラフト紙であるから、支持板４を手軽に得ることができ、製造コスト低減もできる。
【００２９】
本考案の課題を解決する第７の手段は、上記の構成であるから、第１から第６の手段が奏する上記の作用効果のほか以下の作用効果を奏する。該背面片２２および扉２４がそれぞれ観音開きとなるものであるから、美観に優れ、違和感がない。
【００３０】
本考案の課題を解決する第８の手段は、上記の構成であるから、第１から第７の手段が奏する上記の作用効果のほか以下の作用効果を奏する。物品用支持部材１１の上部の物品支持部１２ｃが収納箱本体１０の天井片１８の内側に係止具１５ｃにより着脱自在に設けられてなるから、物品用支持部材１１を盲動抑制板１４とともに必要に応じて取り外すことができる。よって、物品用支持部材１１や妄動抑制板１４が破損したり汚れた場合には、収納箱本体１０を再利用しながら物品用支持部材１１や妄動抑制板１４について交換できる利点がある。
【図面の簡単な説明】
【００３１】
【図１】使用状態を示す収納箱の概略正面図である。
【図２】折り畳んだ状態の収納箱の斜視図である。
【図３】観音扉を開いた状態の収納箱本体の斜視図である。
【図４】両側に盲動抑制板を備えた物品用支持部材の斜視図である。
【図５】物品用支持部材要部の拡大縦断面図である。
【図６】観音扉を除いた収納箱の正面視分解断面図である。
【図７】折り畳み途中時の収納箱の斜視図である。
【図８】別の収納箱の実施例の斜視図である。
【考案を実施するための形態】
【００３２】
次いで本考案の詳細について図面を参照して説明する。図１に示すように、本収納箱１は内部に収納物Ａを多数収納して搬送可能なものであり、一方で、収納物Ａを収納しない場合には、図２に示すように折り畳みが可能なものであり、このように折り畳んだ状態で搬送・保管が可能とされ、収納箱１全体が嵩張らず搬送・保管時の作業性・コストを低減することのできるものである。
【００３３】
本収納箱１には、収納箱本体１０と、収納箱本体１０内に内装可能な物品用支持部材１１と、物品用支持部材１１の左右両側にその上部のみが固定された妄動抑制板１４とが備えられている。
【００３４】
収納箱本体１０は、図３に示すように、両側に一対の側片１６、上部に天井片１８及び下部に底片２０が備えられている。また、背面には、側片１６と背面側の折り目１３ａを介して折り畳み自在に連設される左右一対の背面片２２が備えられている。また、正面には、側片１６と正面側の折り目１３ｂを介して折り畳み自在に連設される左右一対の扉２４が備えられている。また、天井片１８の両側端と一対の側片１６の上端との間、及び底片２０の両側端と一対の側片１６の下端との間にはそれぞれ折り目１３ｃが形成されている。一対の背面片２２及び一対の扉２４は、それぞれいわゆる観音開きの状態に開閉が可能に設けられている。
【００３５】
また、一対の背面片２２を着脱自在に係止する係止具１５ａが背面片２２にそれぞれ取り付けられ、一対の扉２４を着脱自在に係止する係止具１５ｂが扉２４にそれぞれ取り付けられており、収納箱１の使用時又は搬送・保管時によって、収納箱１が折り畳み自在となるように設けられている。
【００３６】
また、天井片１８の裏側には、収納箱本体１０内に内装される物品用支持部材１１を収納箱本体１０に対して着脱自在に設ける係止具１５ｃが取り付けられている。この係止具１５ｃは天井片１８の左右方向においてバランス良く４個が取り付けられている。なお、これらの係止具１５ａ〜１５ｃは、本例ではそれぞれマジックテープ（登録商標）が用いられているが、その他の係止具を用いることを妨げるものではない。なお、本例では、収納箱本体１０はプラスチック製段ボールにより形成されており、収納箱１全体の強度を上げることができる。また、手軽に収納箱本体１０を生産でき、その生産コストを低減できる。
【００３７】
次いで図４及び図５を参照して物品用支持部材１１について説明する。図４に示すように、この物品用支持部材１１は、内部に８つの硬質材製の仕切り１２が上下方向に積層されている。それぞれの仕切り１２には、両側の鉛直部１２ａと、鉛直部１２ａに対して直角方向に設けられた上方の第１物品支持部１２ｃと、下方の第２物品支持部１２ｄとが備えられている。それぞれの部材間である四隅には折り目１９がそれぞれ形成されており、仕切り１２は全体として断面方形状に、折り目１９を境にして折り畳み自在に形成されている。なお、本例では、物品用支持部材１１として厚紙を用いており、物品用支持部材１１内に収納物が収納された際に物品用支持部材１１自体が湾曲や変形し難く設けることができる。また、市販品を利用できるため、手軽に物品用支持部材１１を生産でき、その生産コストを低減することができる。
【００３８】
また、上下方向における各仕切り１２の上下には、仕切り１２を補強するための補強板２３が接着されている。補強板２３は厚紙製とされており、この補強板２３により、仕切り１２の水平方向に延設されている第１物品支持部１２ｃと第２物品支持部１２ｄの強度を簡易に高めることができる。
【００３９】
また、上下方向に積層された各仕切りの鉛直部１２ａに渡って、鉛直部１２ａの外側には鉛直部１２ａと平行に支持板４がそれぞれ固定されている。本例では、この支持板４はクラフト紙製とされており、支持板４を手軽に得ることができ製造コストを低減することができる。
【００４０】
また、図４及び図６に示すように、物品用支持部材１１の上部には、前述した収納箱本体１０の天井片１８の裏側に取り付けられた係止具１５ｃに対応する位置に、係止具２５がそれぞれ取り付けられており、収納箱本体１０に内装される物品用支持部材１１を着脱自在に固定可能に設けられている。
【００４１】
次いで図４及び図５を参照して妄動抑制板１４について説明する。盲動抑制板１４は、物品用支持部材１１の上方端にその上方端を揃えて、上部寄りの糊代部Ｐが物品用支持部材１１の両支持板４の上部の外側に固着されている。盲動抑制板１４は硬質材製とされており、固着される両支持板４を介して、物品用支持部材１１全体の強度を高め、倒伏し易い仕切り１２の姿勢を安定して保持できるように構成されている。一方で、物品用支持部材１１と盲動抑制板１４の底片２０側は自由状態とされているため、物品用支持部材１１の伸張および圧縮の作業を円滑に実施できる。
【００４２】
また、図１に示すように、物品用支持部材１１と一対の盲動抑制板１４のそれぞれの高さＨ１は、納箱本体１０の天井片１８の内側から底片２０の内側に至る高さＨ２に等しく設けられており、収納箱本体１０の幅Ｗ１は該物品用支持部材１１の幅Ｗ２に盲動抑制板１４の厚みの２倍の幅を加算した幅に等しく設けられている。また、図示は省略するが、一対の盲動抑制板１４のそれぞれの奥行きＤ１は収納箱本体１０の背面片２２の内側から扉２４の内側に至る幅Ｄ２に等しく設けられている。すなわち、一対の盲動抑制板１４が固着された物品用支持部材１１は、収納箱本体１０内において、その上下方向、左右方向及び前後方向のいずれにおいても間隙を生ずることなく内装されている。したがって、特に収納物Ａを内部に収納するために組み立てられた状態において、物品用支持部材１１を上下方向、幅方向および奥行き方向の何れの方向にも盲動することなく、その姿勢を安定して保持することができる。
【００４３】
次いでこの収納箱１の使用方法及び作用効果について説明する。図７に示すような折り畳まれた収納箱１を使用に備えて組み立てる際には、収納箱本体１０内に一対の盲動抑制板１４を固定した折り畳み自在な物品用支持部材１１が内装されてはいるが、物品用支持部材１１の上方のみが本体１０の天井片１８に固定され、その下方は底板２０に対して自由状態であるから、背面片２２又は扉２４を摘んで収納箱本体１０を伸張させることにより、図７に示すように、折り畳まれていた物品用支持部材１１は盲動抑制板１４とともに、収納箱本体１０の伸張に追従してワンアクションで展開させることができる。
【００４４】
次いで、伸張された背面片２２を背面側の折り目１３ａを介して内側へ折り曲げるとともに背面片２２側の係止具１５ａによって開かないように固定させる。そして、正面側から、仕切り１２内に、例えば、図１に示すように、履き物類などの収納物Ａを載置させることにより収納作業を手軽に実施できる。次いで、扉２４を閉め、扉２４が開放しないように係止具１５ｂによって固定させる。
【００４５】
物品用支持部材１１の両側は、硬質材製の盲動抑制板１４により制御されているため、盲動抑制板１４が湾曲することなく、倒伏し易い仕切り１２の姿勢を安定に保持できる。  この点に関してさらに説明すると、水平方向に設けられた仕切り１２は、水平方向からの応力に対して弱いが、この考案では仕切り１２に対して盲動抑制板１４が直角方向に設けられていることにより、その応力に抗することができる。
【００４６】
この考案の収納箱１０を例えば、その高さを１４００ｍｍ程度の大型とする場合、特にその伸張および圧縮の作業を人手により行うことは容易ではないが、前述したように、物品用支持部材１１と盲動抑制板１４の底片２０側は自由状態に存在するから、伸張および圧縮の作業を障害や無理なく実施できる。一方、前記したように、物品用支持部材１１の底片２０側は自由状態に存在するから、本来は、物品用支持部材１１はその姿勢は不安定な環境下に存在するものの、この考案では、盲動抑制板１４が箱本体内において、支持板４と側片１６の間に隙間のない状態で垂設されているので、盲動抑制板１４はその材質が硬質であることと相まって湾曲することなく、正規の姿勢を保持し、よって、物品用支持部材１１はその姿勢を安定した状態に保持できる。
【００４７】
そして、履き物類などを収納した状態の収納箱を倉庫や家屋内で保管する場合はもちろんであるが、とりわけ、耐衝撃性について配慮を必要とする車両などによる輸送・配送や荷役に関する物流においては、十分な補強をされた本収納箱１０が好適である。
【００４８】
一方、収納箱１０内の収納物Ａを取り出した後に展開状態の収納箱１０を折り畳む場合には、係止具１５ｂを外して閉鎖状態の扉２４を開放し、ついで、係止具１５ａを外して、閉鎖状態の背面片２２についても開放する。そしてこの状態で、収納箱本体１０の側片１６を内側へ向けて押圧することにより、物品用支持部材１１は、収納箱本体１０の折り畳みに追従し、ワンアクションにより収納箱本体１０とともに簡易に折り畳むことができる。
【００４９】
次いで本考案の別の実施の形態について説明する。図８に示すのは、妄動抑制板１４を左右両側に備えた物品用支持部材１１を左右方向に並列に２個設けたものである。この二つの物品用支持部材１１を収納箱本体に内装して別の収納箱（図示省略）とすることも可能である。
【産業上の利用可能性】
【００５０】
本考案の折り畳み自在な収納箱は内部に多数の収納物を整理して収納し搬送等し、搬送等以外の保管等の際には折り畳むことが望ましい収納箱に利用することができる。
【符号の説明】
【００５１】
１；収納箱、４；支持板、１０；収納箱本体、１１；物品用支持部材、１２；仕切り、１２ａ；鉛直部、１２ｃ；第１物品支持部、１２ｄ；第２物品支持部、１３ａ〜１３ｃ；折り目、１４；妄動抑制板、１５ａ〜１５ｃ；係止具、１６；側片、１８；天井片、１９；折り目、２０；底片、２２；背面片、２３；補強板、２４；扉、２５；係止具、Ａ；収納物、Ｐ；糊代部。
【図１】
0003154316.tif 000003
【図２】
0003154316.tif 000004
【図３】
0003154316.tif 000005
【図４】
0003154316.tif 000006
【図５】
0003154316.tif 000007
【図６】
0003154316.tif 000008
【図７】
0003154316.tif 000009
【図８】
0003154316.tif 000010